(57)【要約】【課題】本体筐体の外面に設けられた本体筐体を支持する支持部における結露の発生を抑制することが可能なイオン送出装置を提供する。【解決手段】イオン送出装置１は、本体筐体２と、本体筐体２の下面２ａに設けた吸込口４及び吹出口５を開口する天井パネル３と、吸込口４と吹出口５とを連通させる送風ダクト６と、送風ダクト６に気流を流通させる送風ファン７と、送風ダクト６を流通する気流にイオンを放出するイオン発生装置３０と、天井パネル３の平面視四角形の各辺に対応する箇所各々に配置した４箇所の前記吹出口５と、隣り合う吹出口５の間に対応する箇所に配置された送風ダクト６の一部を４つに分岐させて４箇所の吹出口５に連通させる仕切り部１６と、仕切り部１６の内部に設けた空気室２１と、空気室２１の外側の本体筐体２の外面に設けた本体筐体２を支持する支持部１１と、を備える。【選択図】図７
2015075282.tif 000002
【特許請求の範囲】
【請求項１】
本体筐体と、
前記本体筐体の一面に設けた吸込口及び吹出口を開口するパネル部と、
前記吸込口と前記吹出口とを連通させる送風ダクトと、
前記送風ダクトに気流を流通させる送風ファンと、
前記送風ダクトを流通する気流にイオンを放出するイオン発生装置と、
前記パネル部の平面視略多角形の各辺に対応する箇所各々に配置した複数の前記吹出口と、
隣り合う前記吹出口の間に対応する箇所に配置された前記送風ダクトの一部を複数に分岐させて複数の前記吹出口に連通させる仕切り部と、
前記仕切り部の内部に設けた空気室と、
前記空気室の外側の前記本体筐体の外面に設けた前記本体筐体を支持する支持部と、
を備えることを特徴とするイオン送出装置。
【請求項２】
前記仕切り部を断熱材で形成したことを特徴とする請求項１に記載のイオン送出装置。
【請求項３】
複数の前記吹出口に隣接して配置され、隣り合う前記吹出口の間に対応する箇所も含め前記平面視略多角形状に連続するよう形成された風向板を備えることを特徴とする請求項１または請求項２に記載のイオン送出装置。
【請求項４】
前記パネル部の中央を挟んで対向する前記パネル部の外縁部に対応する２箇所に設けた前記本体筐体と前記パネル部とを連結するための連結部を備え、
前記連結部が前記本体筐体または前記パネル部の一方に設けたネジと、他方に設けた前記ネジの頭が係合する係合部とを有し、２箇所の前記連結部のうち一方の前記係合部が外縁側から前記ネジの軸が挿通可能な前記ネジの頭より幅が狭いスリットからなり、他方の前記係合部が前記ネジの頭より大きさが大きい大径部と前記ネジの頭より大きさが小さい小径部とを接続した略瓢箪形孔からなることを特徴とする請求項１〜請求項３のいずれか１項に記載のイオン送出装置。
【発明の詳細な説明】
【技術分野】
【０００１】
本発明はイオン送出装置に関する。
【背景技術】
【０００２】
近年、放電によりイオンを発生させて空気中に放出するイオン送出装置や空気調和機が広く普及している。イオン送出装置や空気調和機を部屋に設置するための構造に係る従来技術の一例が特許文献１に開示されている。
【０００３】
特許文献１に記載された従来技術は天井埋込型の空気調和機に係る技術であり、装置の大半部分が部屋の天井より上方、すなわち天井裏に埋め込まれた形態をなす。この空気調和機は直方体状をなす本体筐体（ケーシング）がその外面に設けた支持部により吊り下げ支持される。
【先行技術文献】
【特許文献】
【０００４】
【特許文献１】特許第３０７７３０６号公報
【発明の概要】
【発明が解決しようとする課題】
【０００５】
ここで、例えばイオン送出装置や空気調和機を天井裏に設置する場合、室内と天井裏とを断熱するために装置の本体筐体の外面を断熱材で覆うことがある。しかしながら、装置を支持するために本体筐体の外面に設けた支持部は通常金属片で形成されることが多く、断熱材で覆うことが困難であった。これにより、支持部の温度が低下して結露が発生し易くなり、その結露水が天井に滴下する可能性があるという問題があった。
【０００６】
本発明は、上記の点に鑑みなされたものであり、本体筐体の外面に設けられた本体筐体を支持する支持部における結露の発生を抑制することが可能なイオン送出装置を提供することを目的とする。
【課題を解決するための手段】
【０００７】
上記の課題を解決するため、本発明のイオン送出装置は、本体筐体と、前記本体筐体の一面に設けた吸込口及び吹出口を開口するパネル部と、前記吸込口と前記吹出口とを連通させる送風ダクトと、前記送風ダクトに気流を流通させる送風ファンと、前記送風ダクトを流通する気流にイオンを放出するイオン発生装置と、前記パネル部の平面視略多角形の各辺に対応する箇所各々に配置した複数の前記吹出口と、隣り合う前記吹出口の間に対応する箇所に配置された前記送風ダクトの一部を複数に分岐させて複数の前記吹出口に連通させる仕切り部と、前記仕切り部の内部に設けた空気室と、前記空気室の外側の前記本体筐体の外面に設けた前記本体筐体を支持する支持部と、を備えることを特徴とする。
【０００８】
この構成によれば、本体筐体の内部において、複数の吹出口各々に接続する送風ダクトが仕切り部により区分される。そして、仕切り部の内部に設けた空気室の外側の本体筐体の外面に本体筐体を支持する支持部が配置される。したがって、空気室が支持部に対する断熱効果を高め、支持部の温度低下を抑制する。
【０００９】
また、上記構成のイオン送出装置において、前記仕切り部を断熱材で形成したことを特徴とする。
【００１０】
この構成によれば、支持部に対する断熱効果がさらに向上する。したがって、支持部の温度低下が一層抑制される。
【００１１】
また、上記構成のイオン送出装置において、複数の前記吹出口に隣接して配置され、隣り合う前記吹出口の間に対応する箇所も含め前記平面視略多角形状に連続するよう形成された風向板を備えることを特徴とする。
【００１２】
この構成によれば、複数の吹出口から送出される空気が全体として所定の方向に導かれる。したがって、複数の吹出口から送出される空気が隣り合う吹出口の間に対応する箇所から意図しない方向に導かれることが抑制される。その結果、イオンが効率的に送出される。
【００１３】
また、上記構成のイオン送出装置において、前記パネル部の中央を挟んで対向する前記パネル部の外縁部に対応する２箇所に設けた前記本体筐体と前記パネル部とを連結するための連結部を備え、前記連結部が前記本体筐体または前記パネル部の一方に設けたネジと、他方に設けた前記ネジの頭が係合する係合部とを有し、２箇所の前記連結部のうち一方の前記係合部が外縁側から前記ネジの軸が挿通可能な前記ネジの頭より幅が狭いスリットからなり、他方の前記係合部が前記ネジの頭より大きさが大きい大径部と前記ネジの頭より大きさが小さい小径部とを接続した略瓢箪形孔からなることを特徴とする。
【００１４】
この構成によれば、本体筐体にパネル部を取り付ける際、２箇所の連結部のうち一方ではスリットにネジの軸を通してスライドさせ、他方では略瓢箪形孔にネジの頭を通してスライドさせる。したがって、略瓢箪形孔にネジの頭を通す作業が１箇所で済み、本体筐体へのパネル部の取り付けが容易になる。本体筐体へのパネル部の取り付けに係る作業効率が向上する。
【発明の効果】
【００１５】
本発明の構成によれば、本体筐体の外面に設けられた本体筐体を支持する支持部における結露の発生を抑制することが可能なイオン送出装置を提供することができる。
【図面の簡単な説明】
【００１６】
【図１】本発明の第１実施形態に係るイオン送出装置の斜視図である。
【図２】本発明の第１実施形態に係るイオン送出装置の天井パネルを外した状態の下面図である。
【図３】本発明の第１実施形態に係るイオン送出装置の天井パネルを外した状態の側面図である。
【図４】本発明の第１実施形態に係るイオン送出装置の構成を示すブロック図である。
【図５】図２に示すイオン送出装置のＶ−Ｖ線における垂直断面側面図である。
【図６】図２に示すイオン送出装置のＶＩ−ＶＩ線における垂直断面側面図である。
【図７】図２に示すイオン送出装置のＶII−ＶII線における垂直断面側面図である。
【図８】図３に示すイオン送出装置のＶIII−ＶIII線における水平断面下面図である。
【図９】本発明の第１実施形態に係るイオン送出装置のイオン発生装置の斜視図である。
【図１０】本発明の第２実施形態に係るイオン送出装置の斜視図である。
【図１１】本発明の第２実施形態に係るイオン送出装置の第一連結部を示す部分拡大下面図である。
【図１２】本発明の第２実施形態に係るイオン送出装置の第二連結部を示す部分拡大下面図である。
【図１３】本発明の第２実施形態に係るイオン送出装置の本体筐体と天井パネルとの連結を説明するための部分拡大側面図である。
【図１４】本発明の第２実施形態に係るイオン送出装置の本体筐体と天井パネルとの連結を説明するための部分拡大側面図である。
【発明を実施するための形態】
【００１７】
以下、本発明の実施形態を図１〜図１４に基づき説明する。
【００１８】
＜第１実施形態＞
最初に、本発明の第１実施形態に係るイオン送出装置について、図１〜図５を用いてその構成の概略を説明する。図１はイオン送出装置の斜視図である。図２及び図３はイオン送出装置の天井パネルを外した状態の下面図及び側面図である。図４はイオン送出装置の構成を示すブロック図である。図５は図２に示すイオン送出装置のＶ−Ｖ線における垂直断面側面図である。図４に描画した白抜き矢印はイオン送出装置による空気の流通経路及び流通方向を示している。
【００１９】
図１に示すイオン送出装置１は装置の大半部分が部屋の天井より上方、すなわち天井裏に埋め込まれた天井埋込型の形態をなす。イオン送出装置１は本体筐体２とパネル部である天井パネル３とを備える。
【００２０】
本体筐体２は外形が略直方体形状をなす箱形部材であり、具体的には図２に示すように下方から見た平面視が矩形の四隅を欠いた八角形の水平断面を有する。本体筐体２は下面２ａが開口し、その下面２ａを覆うように天井パネル３が取り付けられる。
【００２１】
天井パネル３は平面視略矩形の板状をなし、室内に臨むよう設けられる。天井パネル３はその中央部に開口する単一の吸込口４と、吸込口４より外縁側に開口する４箇所の吹出口５とを備える。
【００２２】
本体筐体２は、図２及び図５に示すようにその内部に送風ダクト６を備える。送風ダクト６は吸込口４と吹出口５とを連通させる。送風ダクト６の内部であって本体筐体２の上部には送風ファン７が配置される。送風ファン７の吸気口７ａは下方を向き、吸込口４に対向する。送風ファン７の排気口７ｂは回転中心に対して径方向外側を指向する。送風ファン７は吸込口４から吸い込んだ空気を吹出口５に向かって流通させる。
【００２３】
送風ファン７の排気口７ｂの下方であって空気流通方向下流側にはイオン発生装置３０が配置される。イオン発生装置３０は送風ダクト６を流通する気流にイオンを放出する。また、また、イオン送出装置１は制御部８及び電源部９を備え（図７及び図８参照）、商用交流電源から電力の供給を受け、動作する。
【００２４】
続いて、イオン送出装置１の詳細な構成について、図１〜図５に加えて図６〜図９を用いて説明する。図６は図２に示すイオン送出装置１のＶＩ−ＶＩ線における垂直断面側面
図、図７は図２に示すイオン送出装置１のＶII−ＶII線における垂直断面側面図、図８は図３に示すイオン送出装置１のＶIII−ＶIII線における水平断面下面図である。図９はイオン発生装置３０の斜視図である。図９に描画した白抜き矢印はイオン送出装置による空気の流通経路及び流通方向を示している。
【００２５】
本体筐体２は、図２、図３及び図７に示すようにその外面に外部断熱材１０及び支持部１１を備える。外部断熱材１０は本体筐体２の下面２ａを除くすべての外面に対応する形状、大きさをなすシート状に形成され、それら外面に貼付される。支持部１１は本体筐体２の平面視矩形の四隅を欠いた部分に対応する外壁面から略水平方向に外側に向かって突出するよう設けられる。支持部１１は例えば薄板状の金属片からなる。イオン送出装置１は支持部１１を介して設置対象となる部屋を構成する構造体に本体筐体２が支持される。
【００２６】
天井パネル３は、図１に示すように室内から見ることができる表示部１２を備える。表示部１２はイオン送出装置１が運転中であることやタイマーのＯＮ／ＯＦＦ、清掃時期、イオン発生装置３０の交換時期などを示すＬＥＤ（Light Emitting Diode）等を備える。
【００２７】
本体筐体２と天井パネル３との電気的な接続は、図２に示すワイヤーハーネス１３にて行われる。ワイヤーハーネス１３は本体筐体２の平面視略矩形をなす内枠１４の四隅のいずれの箇所にもその端部のコネクタ１３ａを配置することができるように配線することが可能である。すなわち、例えば図２ではコネクタ１３ａを右上隅に配置しているが、右下隅、左上隅または左下隅のいずれかにも配置することができる。これにより、本体筐体２の向きに関係なく、表示部１２が所望の方向を向くように天井パネル３を回転させて本体筐体２に取り付けることができる。
【００２８】
４箇所の吹出口５は天井パネル３の中央に配置された単一の吸込口４を取り囲むように設けられる。図１に示すように、４箇所の吹出口５は天井パネル３の平面視四角形の各辺に対応する箇所各々に配置される。
【００２９】
４箇所の吹出口５各々に対する吸込口４側には、図１に示すように風向板１５が取り付けられる。風向板１５は４箇所の吹出口５に隣接して配置され、隣り合う吹出口５の間に対応する隣接箇所１５ａも含め平面視略四角形状に連続するよう形成される。風向板１５の作用により、４箇所の吹出口５各々から吹き出される空気は天井パネル３の中央側、すなわち吸込口４側ではなく、天井パネル３の外縁側に向かって送出される。
【００３０】
送風ダクト６は、図１、図２及び図５に示すようにその空気流通方向上流部を構成する内枠１４が吸込口４の箇所から上方向に送風ファン７の吸気口７ａの箇所まで延びる。送風ダクト６は送風ファン７の排気口７ｂの箇所で本体筐体２の平面視略矩形の各辺に対応する四方に分岐するとともに水平方向外側に向かって延びる。さらに、四方に分岐した送風ダクト６は本体筐体２の外壁近くで下方向に延びて４箇所の吹出口５に至る。
【００３１】
隣り合う前記吹出口の間に対応する箇所、すなわち本体筐体２の内側の平面視略矩形の四隅に対応する箇所には、図２及び図６〜図８に示した仕切り部１６が設けられる。仕切り部１６は送風ファン７の排気口７ｂから延びる送風ダクト６の空気流通方向下流部を４つに分岐させて４箇所の吹出口５に連通させる。仕切り部１６は例えば発泡スチロール等の合成樹脂発泡体などからなる内部断熱材１７で形成される。
【００３２】
送風ファン７は例えばシロッコファンからなり、図５に示すファンモータ７ｃ及び羽根車７ｄを備える。送風ファン７は、前述のように吸気口７ａが吸込口４に対向し、排気口７ｂが回転中心に対して径方向外側、すなわち送風ダクト６の下流に位置する吹出口５の方向を指向する。ファンモータ７ｃによって羽根車７ｄが回転すると、送風ダクト６に気流が流通する。なお、本実施形態では送風ファン７をシロッコファンとしたが、プロペラファンやターボファン形式の送風ファンであっても良い。
【００３３】
イオン発生装置３０は、図５に示すように４箇所の吹出口５に対して分岐した送風ダクト６各々の空気流通方向下流部であって、吹出口５に近接した箇所に配置される。イオン発生装置３０は、図４及び図９に示すようにイオン発生器４０、イオンセンサ５０、リブ部６０及び発光部７０を備える。
【００３４】
イオン発生器４０は、図９に示すようにイオンを放出するための放電に用いる放電電極４３（４３Ｐ、４３Ｎ）やその他不図示の電子部品がハウジング４１に設けられ、パッケージ化されている。イオン発生器４０は不図示の放電回路部、正イオン発生部４２Ｐ及び負イオン発生部４２Ｎを備える。放電回路部は外部から電力供給を受けて高圧の電気パルスを生成する高圧電気発生回路を備える。
【００３５】
正イオン発生部４２Ｐ及び負イオン発生部４２Ｎは所定の間隔で並べて配置され、各々がイオン発生装置３０の外面から送風ダクト６の空気流通空間に向かって突出して臨む。正イオン発生部４２Ｐ及び負イオン発生部４２Ｎは空気流通空間の空気流通方向と交差して略直角をなす方向に並ぶ。なお、正イオン発生部４２Ｐ及び負イオン発生部４２Ｎを総称してイオン発生部４２と呼ぶことがある。
【００３６】
正イオン発生部４２Ｐは正放電電極４３Ｐを備え、負イオン発生部４２Ｎは負放電電極４３Ｎを備える。正放電電極４３Ｐ及び負放電電極４３Ｎは各々ハウジング４１から外側に向かって突出する針状に形成される。正イオン発生部４２Ｐ及び負イオン発生部４２Ｎはともに同じ構造であり、各々の正放電電極４３Ｐ、負放電電極４３Ｎに高圧電気発生回路で生成された高電圧を供給して放電を発生させ、イオンを放出する。
【００３７】
ここで、イオン発生器４０の正放電電極４３Ｐ、負放電電極４３Ｎには交流波形またはインパルス波形から成る電圧が印加される。正放電電極４３Ｐには正電圧が印加され、コロナ放電による水素イオンが空気中の水分と結合して主としてＨ+（Ｈ2Ｏ）ｍから成る正イオンを発生する。負放電電極４３Ｎには負電圧が印加され、コロナ放電による酸素イオンが空気中の水分と結合して主としてＯ2-（Ｈ2Ｏ）ｎから成る負イオンを発生する。ここで、ｍ、ｎは任意の自然数である。Ｈ+（Ｈ2Ｏ）ｍ及びＯ2-（Ｈ2Ｏ）ｎは空気中の浮遊菌や臭い成分の表面で凝集してこれらを取り囲む。
【００３８】
そして、式（１）〜（３）に示すように、衝突により活性種である［・ＯＨ］（水酸基ラジカル）やＨ2Ｏ2（過酸化水素）を微生物等の表面上で凝集生成して浮遊菌や臭い成分を破壊する。ここで、ｍ’、ｎ’は任意の自然数である。したがって、イオン発生器４０はその外部を流通する空気に対して正放電電極４３Ｐ及び負放電電極４３Ｎで放電により発生させた正イオン及び負イオンを含ませるように放出することにより、例えば室内の殺菌や脱臭を行うことができる。
【００３９】
Ｈ+(Ｈ2Ｏ)ｍ＋Ｏ2-(Ｈ2Ｏ)ｎ→・ＯＨ＋1/2Ｏ2＋(ｍ＋ｎ)Ｈ2Ｏ  ・・・（１）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ 2・ＯＨ＋Ｏ2＋(ｍ＋ｍ'＋ｎ＋ｎ')Ｈ2Ｏ ・・・（２）
Ｈ+(Ｈ2Ｏ)ｍ＋Ｈ+(Ｈ2Ｏ)ｍ’＋Ｏ2-(Ｈ2Ｏ)ｎ＋Ｏ2-(Ｈ2Ｏ)ｎ’
→ Ｈ2Ｏ2＋Ｏ2＋(ｍ＋ｍ'＋ｎ＋ｎ')Ｈ2Ｏ ・・・（３）
【００４０】
なお、イオン発生器４０によって正イオン及び負イオンを一緒に発生させても良いし、正イオンのみまたは負イオンのみを発生させても良い。
【００４１】
また、本発明において、イオンには帯電微粒子水も含むものとする。このとき、イオン発生器４０は静電霧化装置からなり、静電霧化装置によってラジカル成分を含む帯電微粒子水が生成される。すなわち、静電霧化装置に設けた放電電極をペルチェ素子により冷却することで放電電極の表面に結露水が生じる。次に、放電電極にマイナスの高電圧を印加すると、結露水から帯電微粒子水が生成される。また、放電電極からは帯電微粒子水とともに空気中に放出される負イオンも発生する。
【００４２】
イオン発生器４０は正イオンまたは負イオンのいずれかと、正イオンまたは負イオンの逆極性に帯電した微粒子水とを発生する静電霧化装置からなるものであっても良い。負イオン若しくは負に帯電した微粒子水が発生すると、室内の殺菌や脱臭に加えて、リラックス効果も生まれるとされる。
【００４３】
ここで、イオン発生装置１は図４に示すように計時部１８、照度測定部１９及び人感センサ２０を備える。制御部８は計時部１８から得られる時間情報に基づき昼間と夜間とを判別し、照度測定部１９から得られる情報に基づき室内の明るさを識別し、人感センサ２０から得られる情報に基づき室内に人がいるか否かを判別する。
【００４４】
そして、イオン発生装置１は夜間や室内に人がいないときに送風ファン７を通常より急速なモードにして動作させて室内のイオン濃度を増加させる。送風ファン７を急速モードで動作させると消費電力が高く、騒音が大きくなるが、夜間や室内に人がいないときにはその悪影響は小さい。夜間や室内に人がいないときに送風ファン７を急速モードで動作させることにより、室内の殺菌や脱臭に係る効果が向上する。
【００４５】
イオンセンサ５０は、図９に示すようにイオン発生装置３０の外部、送風ダクト６の空気流通空間に向かって露出する捕集電極５１を備える。イオンセンサ５０は捕集電極５１にイオンが触れることにより生じる単位時間当たりの電荷を電流として検知する。そして、不図示の回路部に設けた積分器の容量を満たすことで捕集したイオン量に対応する電圧が得られる。この電圧を、捕集電極５１をリセットしてから所定時間後に確認することによりイオン量の測定を行うことができる。
【００４６】
ここで、イオン発生装置３０は一部に発泡スチロールなどからなる内部断熱材１７を利用して形成した空気流通空間に臨んで配置される。発泡スチロールは一般的にプラスに帯電し易いことが分かっており、負イオンが発泡スチロール製の空気流通空間に付着し易くなる。このため、イオンセンサ５０は正イオン発生部４２Ｐの空気流通方向下流側に配置される。
【００４７】
リブ部６０は、図９に示すようにイオン発生装置３０の外面であって、正イオン発生部４２Ｐの空気流通方向下流側に位置するイオンセンサ５０の周囲に対応する箇所に配置される。リブ部６０はイオン発生装置３０の外面から空気流通空間に向かって突出する。リブ部６０は正イオン発生部４２Ｐが放出する正イオンのイオンセンサ５０への流入に係る効率を向上させ、負イオン発生部１２Ｎが放出する負イオンのイオンセンサ５０への流入を阻止する複数のリブを備える。
【００４８】
発光部７０は、図９に示すようにイオン発生装置３０の外面であって、負イオン発生部４２Ｎの空気流通方向下流側に配置される。発光部７０は発光体として例えばＬＥＤを搭載した光源基板７１と、ＬＥＤ光を空気流通空間側に拡散させるための拡散レンズ７２とを備える。発光部７０はイオン発生器４０が正常に動作していることが外部から容易に認識できるよう発光する。
【００４９】
ここで、イオン発生装置１は計時部１８や照度測定部１９を利用して夜間に発光部７０を消灯させる。これにより、消費電力の低減を図ることができる。また、夜間に発光部７０を消灯させることにより、例えばイオン発生器４０の異常で発光部７０が点滅していると、それに気づき易くなる。したがって、イオン発生装置１の異常に対して迅速に対応させることができる。
【００５０】
続いて、仕切り部１６の周辺のさらに詳細な構成について説明する。
【００５１】
仕切り部１６は、図２及び図６〜図８に示すように本体筐体２の内側の平面視略矩形の四隅に対応する箇所に配置される。４箇所の仕切り部１６は本体筐体２の内部において、送風ファン７の排気口７ｂから４箇所の吹出口５各々に接続する送風ダクト６の空気流通方向下流部を４つに区分している。
【００５２】
仕切り部１６は例えば発泡スチロール等の合成樹脂発泡体などからなる内部断熱材１７で形成され、内部に空気室２１を備える。空気室２１は周囲の内部断熱材１７により密閉された空間として形成される。そして、空気室２１の外側の本体筐体２の外面には支持部１１が設けられている。
【００５３】
上記のように、本実施形態に係るイオン送出装置１は、本体筐体２と、本体筐体２の下面２ａに設けた吸込口４及び吹出口５を開口する天井パネル３と、吸込口４と吹出口５とを連通させる送風ダクト６と、送風ダクト６に気流を流通させる送風ファン７と、送風ダクト６を流通する気流にイオンを放出するイオン発生装置３０と、天井パネル３の平面視四角形の各辺に対応する箇所各々に配置した４箇所の前記吹出口５と、隣り合う吹出口５の間に対応する箇所に配置された送風ダクト６の一部を４つに分岐させて４箇所の吹出口５に連通させる仕切り部１６と、仕切り部１６の内部に設けた空気室２１と、空気室２１の外側の本体筐体２の外面に設けた本体筐体２を支持する支持部１１と、を備える。この構成によれば、空気室２１が支持部１１に対する断熱効果を高め、支持部１１の温度低下を抑制することが可能になる。
【００５４】
また、仕切り部１６を内部断熱材１７で形成したことにより、支持部１１に対する断熱効果をさらに向上させることができる。したがって、支持部１１の温度低下を一層抑制することが可能になる。
【００５５】
そして、本発明の上記実施形態の構成によれば、本体筐体２の外面に設けられた本体筐体２を支持する支持部１１における結露の発生を抑制することが可能なイオン送出装置１を提供することができる。
【００５６】
また、イオン送出装置１は４箇所の吹出口５に隣接して配置され、隣り合う吹出口５の間に対応する隣接箇所１５ａも含め平面視略四角形状に連続するよう形成された風向板１５を備える。この構成によれば、４箇所の吹出口５から送出される空気を全体として所定の方向に導くことができる。したがって、４箇所の吹出口５から送出される空気が隣り合う吹出口５の間に対応する隣接箇所１５ａから意図しない方向、例えば吸込口４に向かって導かれることを抑制することができる。その結果、イオンを効率的に送出することが可能になる。
【００５７】
＜第２実施形態＞
次に、本発明の第２実施形態に係るイオン送出装置について、図１０〜図１４を用いてその構成を説明する。図１０はイオン送出装置の斜視図である。図１１及び図１２はイオン送出装置の第一連結部及び第二連結部を示す部分拡大下面図である。図１３及び図１４はイオン送出装置の本体筐体と天井パネルとの連結を説明するための部分拡大側面図である。なお、この実施形態の基本的な構成は先に説明した第１実施形態と同じであるので、第１実施形態と共通する構成要素には前と同じ符号を付し、図面の記載及びその説明を省略するものとする。
【００５８】
第２実施形態に係るイオン送出装置１では天井パネル３が、図１０に示すように連結部蓋３ａを備える（図１０の網掛け部）。連結部蓋３ａを開放すると、図１１及び図１２に示す第一連結部８１及び第二連結部８２の２箇所の連結部８０が現れる。連結部８０及び連結部蓋３ａは天井パネル３の中央を挟んで対向する天井パネル３の外縁部に対応する２箇所に設けられる。連結部８０は本体筐体２と天井パネル３とを連結するために利用される。
【００５９】
２箇所の連結部８０は各々、本体筐体２に設けたネジ８３と、ネジ８３の頭８３ａが係合する天井パネル３に設けた係合部８４とを有する。
【００６０】
第一連結部８１は、係合部８４がスリット８５からなる。スリット８５は天井パネル３の中央部に対する外縁３ｂ側からネジ８３の軸８３ｂが挿通可能となるように、その外縁３ｂから天井パネル３の中央部に向かって切り欠かれた形状、大きさをなす。そして、スリット８５の幅はネジ８３の頭８３ａより狭くなっている。
【００６１】
第二連結部８２は、係合部８４が略瓢箪形孔８６からなる。略瓢箪形孔８６はネジ８３の頭８３ａより大きさが大きい大径部８６ａとネジ８３の頭８３ａより大きさが小さい小径部８６ｂとを接続して形成される。大径部８６ａはネジ８３の頭８３ａより直径が大きい円孔からなる。小径部８６ｂはネジ８３の頭８３ａより幅が狭い長穴からなる。なお、小径部８６ｂはネジ８３の頭８３ａより直径が小さい円孔であっても良い。大径部８６ａ及び小径部８６ｂはスリット８５が延びる方向に沿って並び、小径部８６ｂが大径部８６ａよりも天井パネル３の中央部に対する外縁３ｂ側に位置する。
【００６２】
本体筐体２と天井パネル３とを連結するとき最初に、図１３及び図１４に示すように第一連結部８１では天井パネル３の外縁３ｂに接続するスリット８５の開放端側から、第二連結部８２では大径部８６ａから、係合部８４にネジ８３を通す。次に、第一連結部８１におけるスリット８５が延びる方向に、また第二連結部８２における大径部８６ａ及び小径部８６ｂが並ぶ方向に、天井パネル３を本体筐体２に対して下面２ａに沿ってスライドさせる。これにより、第一連結部８１ではネジ８３がスリット８５に係合し、第二連結部８２ではネジ８３が小径部８６ｂに係合する。
【００６３】
このようにして、本体筐体２に天井パネル３を取り付ける際、２箇所の連結部８０のうち第一連結部８１ではスリット８５にネジ８３の軸８３ｂを通してスライドさせ、第二連結部８２では略瓢箪形孔８６にネジ８３の頭８３ａを通してスライドさせる。したがって、略瓢箪形孔８６にネジ８３の頭８３ａを通す作業が１箇所で済み、本体筐体２への天井パネル３の取り付けを容易にすることができる。本体筐体２への天井パネル３の取り付けに係る作業効率を向上させることが可能である。
【００６４】
以上、本発明の実施形態につき説明したが、本発明の範囲はこれに限定されるものではなく、発明の主旨を逸脱しない範囲で種々の変更を加えて実施することができる。
【産業上の利用可能性】
【００６５】
本発明はイオン送出装置において利用可能である。
【符号の説明】
【００６６】
１    イオン送出装置
２    本体筐体
２ａ    下面
３    天井パネル（パネル部）
４    吸込口
５    吹出口
６    送風ダクト
７    送風ファン
１１    支持部
１５    風向板
１６    仕切り部
１７    内部断熱材（断熱材）
２１    空気室
３０    イオン発生装置
８０    連結部
８１    第一連結部
８２    第二連結部
８３    ネジ
８３ａ    頭
８３ｂ    軸
８４    係合部
８５    スリット
８６    略瓢箪形孔
８６ａ    大径部
８６ｂ    小径部
【図１】
2015075282.tif 000003
【図２】
2015075282.tif 000004
【図３】
2015075282.tif 000005
【図４】
2015075282.tif 000006
【図５】
2015075282.tif 000007
【図６】
2015075282.tif 000008
【図７】
2015075282.tif 000009
【図８】
2015075282.tif 000010
【図９】
2015075282.tif 000011
【図１０】
2015075282.tif 000012
【図１１】
2015075282.tif 000013
【図１２】
2015075282.tif 000014
【図１３】
2015075282.tif 000015
【図１４】
2015075282.tif 000016